(57)【要約】  端部に物体が取り付けられた可撓性のラインに用いられるよう意図された回収補助具であって、該回収補助具は、一方の端部にライン固定部材（１３）を取り付けられたシャフト（１１）を備え、該固定部材はラインと容易に係合でき、ラインと係合されると、該ラインを囲い込みラインに沿って移動可能で、一巻きより多く二巻き未満の巻きからなるように形成され、固定部材の平面はシャフトの中央軸に対して傾斜し、シャフトの端部から外側に向けて伸びる。【選択図】図２
2007508021.tif 000002
【特許請求の範囲】
【請求項１】
端部に物体が取り付けられた可撓性のラインに用いられることを意図する回収補助具であって、該回収補助具は、ライン固定部材を一方の端部に取り付けられたシャフトを備え、該固定部材は、該ラインと容易に係合し、ラインと係合すると、該ラインを囲い込み、該ラインに沿って移動可能となる回収補助具において、該固定部材は、一巻きより多く二巻き未満の巻きからなるコイルに形成され、該固定部材の平面はシャフトの中央軸に対して傾斜し、該シャフトの端部から外側に向けて延びることを特徴とする回収補助具。
【請求項２】
端部に物体が取り付けられた可撓性のラインに用いられることを意図する回収補助具であって、該回収補助具は、ライン固定部材を一方の端部に取り付けられたシャフトを備え、ラインと容易に係合し、ラインと係合すると、該ラインを取り囲み、該ラインに沿って移動可能となる回収補助具において、該固定部材は、全体を通して弧状に曲がり、巻きが互いに重なりあい、一方の端部はシャフトに固定され、他方の端部は自由端である一巻きより多く二巻き未満の巻きからなるコイルに形成され、コイルの部分は、下側の巻きの外周から外側に向けて延びる隣接の自由端であり、固定部材の平面はシャフトの中央軸に対して傾斜し、シャフトの端部から外側に向けて延びることを特徴とする回収補助具。
【請求項３】
固定部材はシャフトの一方の端部で支持され、シャフトの一方の側へ伸びることを特徴とする請求項１または２に記載の回収補助具。
【請求項４】
コイルの近接する巻き部分は互いに離間していることを特徴とする請求項１，２または３のいずれかに記載の回収補助具。
【請求項５】
コイルはおよそ１巻きと１／４巻きの巻きからなることを特徴とする請求項１ないし４のいずれかに記載の回収補助具。
【請求項６】
シャフトが取り付けられるコイルのベースはシャフトとコイルの残りの部分に対して軸方向最も外側にあることを特徴とする請求項１ないし５のいずれかに記載の回収補助具。
【請求項７】
シャフトが取り付けられるコイルのベースは、シャフトとコイルの残りの部分に対して軸方向最も内側にあることを特徴とする請求項１ないし５のいずれかに記載の回収補助具。
【請求項８】
シャフトは伸縮自在であることを特徴とする請求項１ないし７のいずれかに記載の回収補助具。
【請求項９】
シャフトは、端部と端部が相互に接続可能な関係にある複数の長さからなることを特徴とする請求項８に記載の回収補助具。
【請求項１０】
各長さの各端部には他の長さの補助継ぎ手とネジ溝で係合可能なネジ継ぎ手が設けられ、端部と端部が相互に接続できることを特徴とする請求項９に記載の回収補助具。
【請求項１１】
シャフトは弾性的に曲げやすいことを特徴とする請求項１から１０のいずれかに記載の回収補助具。
【請求項１２】
シャフトはファイバー補強されたプラスチック材料で形成されることを特徴とする請求項１１に記載の回収補助具。
【請求項１３】
シャフトは、シャフトに沿ってスライド可能な保持部材を支持し、コードは一方の端部で保持部材に固定され、シャフトは保持部材がシャフトのいずれの端部からも外れることを防止するべく形成されていることを特徴とする請求項１ないし１２のいずれかに記載の回収補助具。
【請求項１４】
コイルの内径は、ラインによって支持される物体の幅よりも小さいことを特徴とする請求項１ないし１３のいずれかに記載の回収補助具。
【請求項１５】
コイルの内径は、ラインによって支持される物体の幅よりも大きいことを特徴とする請求項１ないし１３のいずれか一つに記載の回収補助具。
【請求項１６】
ラインは釣り糸からなり、物体は釣り針およびルアー、またはそれらの内の一方からなることを特徴とする請求項１ないし１５のいずれかに記載の回収補助具。
【請求項１７】
補助具は魚の体から釣り針を回収するのに用いられ得ることを特徴とする請求項１ないし１６のいずれかに記載の回収補助具。
【請求項１８】
シャフトは、シャフトの長さの中間にある少なくとも一つのスタンドオフ・コイルを支持し、前記スタンドオフ・コイルは一巻きより多い巻きを備え、コイルの中央軸は実質的にシャフトに平行であることを特徴とする請求項１ないし１７のいずれかに記載の回収補助具。
【請求項１９】
スタンドオフ・コイルは、シャフトに取り外し自在に支持されていることを特徴とする請求項１８に記載の回収補助具。
【請求項２０】
スタンドオフ・コイルは一対の相互に接続された長さの端部間に固定するように受け入れられるよう適合していることを特徴とする請求項９または１０に従属する請求項１８に記載された回収補助具。
【請求項２１】
コイルの平面はシャフトに対して１００度から１５０度の間の鈍角をなすことを特徴とする請求項１ないし２０のいずれかに記載の回収補助具。
【請求項２２】
コイルは一巻きよりも長く、コイルの自由端はコイルの外周から外側に向けて伸びることを特徴とする請求項１ないし２１のいずれかに記載の回収補助具。
【請求項２３】
自由端の中央軸はシャフトの中央軸に対して９０度未満の角度をもって下側に伸びていることを特徴とする請求項２２に記載の回収補助具。
【請求項２４】
添付の図面を参照してここに具体的に説明された回収補助具。
【発明の詳細な説明】
【技術分野】
【０００１】
本発明は、回収補助具に関する。
【背景技術】
【０００２】
本発明は、先端に物体を取り付けたラインに用いられることを意図するものであり、この物体が容易には手の届かないような位置に固定されてしまったような場合、この物体を回収すべく補助具が利用され得る。ある適用例では、本発明は、引っかかった釣り針やルアーを回収するために、釣り糸と協働させて用いられる回収補助具に適用され得る。他の適用例では、本補助具は、魚や鳥等の生物の体または皮膚に入り込んでしまった釣り針を固定して回収するのに用いられる手段に関する。更なる適用例では、実施形態は、木や屋根等の高い構造物から凧を回収するために、凧を回収するために木や屋根によじ登ることなく、凧と協働して用いられる器具に関する。
【０００３】
これまでに提案されている釣り針取り外し器の形状は、米国意匠特許文献１に開示されている。この装置では、シャフトと概ね一直線上となるシャフトの自由端にループが支持されている。装置のこのような構成、特に魚に差し出されているループの開放部のシャフトに対するループの向きによって、開放部が魚の一部（即ち、唇や鰓耙）を捕捉する可能性がある。さらに、魚の体内の釣り針を固定するループが、釣り針を取り外すべく魚の体内に向けて押されると、釣り針はループのもっとも内側の位置までスライドする。これにより、ループのもっとも外側と釣り針との間の距離が大きくなり、押されたリムーバはさらに魚の肉に押し付けられ釣り針を取り外す。この器具は、引っかかったルアーを回収するために、ラインと協働すべく容易にラインに係合され、このラインと協働し、引っかかったルアーまでラインに沿って自由に移動させるルアー回収器具として用いられることを意図するものではないようである。
【０００４】
これまでに提案されている回収器具の他の形状は、特許文献２に開示されている。この器具は釣り針除去器具であり、引っかかったルアーを回収するために、ラインと協働すべくラインに容易に係合され、引っかかったルアーまでラインに沿って自由に移動させるルアー回収器具として用いることを意図していない。
【０００５】
これまでに提案されている回収器具の他の形状は、特許文献３に開示されており、この器具は一対の離間したコイルを用いるものである。この器具の使用には、複雑なライン固定を必要とする。さらに、ラインを器具に固定したままにしておくには、ラインが両方のコイルに係合されたままにされる必要がある。さらには、釣り針またはルアーを取り外すのは重量に左右される。
【０００６】
これまでに提案されている釣り針除去器具の他の形状は特許文献４に開示されている。これも、引っかかったルアーを回収すべく、ラインと協働するために容易にラインに係合され、引っかかったルアーまでラインに沿って自由に移動させるルアー回収器具として使用されるようには意図されていない。
【０００７】
これまでに提案されている他の回収器具の形状は特許文献５に開示されている。この器具はかさばる大きさで、この形状では器具をラインに係合するときに注意が必要であり、さらにラインの位置を注意深く観察する必要があり、しかも、その器具は通常困難な環境において使用されるものであることを踏まえると、そのような注意および留意をしたからといって利用者が直面する困難を付加するだけである。
【０００８】
本明細書中で説明された本発明に関する背景および関連技術は、単に本発明の理解を容易にするためのものである。この説明は言及された材料が、オーストラリアまたは世界中で本願の優先権日の時点で一般的な知識の一部となっていたことを確認するものでも容認するものでもない。
【０００９】
【特許文献１】米国意匠特許第３８２６２８号
【特許文献２】米国特許第３３７４５７０号
【特許文献３】米国特許第２３７９１６号
【特許文献４】米国特許第６６１３８４０１号
【特許文献５】米国特許第６６９４６６４号
【発明の開示】
【００１０】
本発明は、端部に物体が取り付けられた可撓性ラインに用いることを意図した回収補助具であり、この回収補助具は、一方の端部にライン固定部材を取り付けられたシャフトを備え、この固定部材は、ラインと容易に係合され得、ラインと係合すると、ラインを取り囲み、ラインに沿って移動することができ、一巻きより多く二巻き未満の巻きからなるコイル状に形成され、固定部材の平面はシャフトの中央軸に対して傾斜し、シャフトの端部から外向きに延びる。
【００１１】
本発明は、端部に物体が取り付けられた可撓性ラインに用いることを意図された回収補助具であって、この回収補助具は、一方の端部にライン固定部材を取り付けられたシャフトを備え、この固定部材はラインと容易に係合し、ラインと係合すると、このラインを取り囲み、ラインに沿って移動することができ、さらに、この固定部材は一巻きより多く二巻き未満の巻きからなるコイル状に形成され、これらの巻きは全体を通して弧状に曲がって、お互いに重なりあり、一方の端部をシャフトに固定され、他方の端部は自由端であり、コイルの一部は、近接する自由端が下側の巻きの周囲から外に向けて伸び、固定部材の平面はシャフトの中央軸に対して傾斜し、シャフトの端部から外側に向けて延びる。
【００１２】
本発明の好ましい特徴によれば、固定部材がシャフトの一方の端部で支持されシャフトの一方の側へ伸びている。
【００１３】
本発明の好ましい特徴によれば、コイルの巻きの隣接する部分は互いに離間している。
【００１４】
本発明の好ましい特徴によれば、コイルはおよそ１巻きと１／４巻きからなる。
【００１５】
本発明の好ましい特徴によれば、シャフトが取り付けられるコイルのベースは、シャフトおよびコイルの残りの部分に関して軸方向にもっとも外側にある。本発明のさらに別の好ましい特徴によれば、シャフトが取り付けられるコイルのベースは、シャフトとコイルの残りの部分に関して軸方向にもっとも内側にある。
【００１６】
本発明の好ましい特徴によれば、シャフトは伸縮自在である。本発明の好ましい特徴によれば、シャフトは、端部と端部とが互いに接続できるように複数の長さからなる。本発明の好ましい特徴によれば、各長さの各端部にはネジ切りされた固定部が設けられ、他の長さの補強固定部とネジ係合され、端部と端部とで互いに接続可能とする。
【００１７】
本発明の好ましい特徴によれば、シャフトは弾性的に曲がる。本発明の好ましい特徴によれば、シャフトはファイバー補強されたプラスチック材料で形成されている。
【００１８】
本発明の好ましい特徴によれば、シャフトはシャフトに沿ってスライド可能な保持部材を支持し、コードは保持部材の一方の端部に固定され、シャフトは保持部材がシャフトのいずれの端部からも外れるのを防止すべく形成されている。
【００１９】
本発明の好ましい特徴によれば、コイルの内径はラインによって支持される物体の幅よりも小さい。本発明の他の好ましい特徴によれば、コイルの内径はラインによって支持される物体の幅よりも大きい。
【００２０】
本発明の好ましい特徴によれば、ラインは釣り糸からなり、物体は釣り針および／またはルアーからなる。
【００２１】
本発明の好ましい特徴によれば、器具は釣り針を魚の体から回収するのに用いられ得る。
【００２２】
本発明の好ましい特徴によれば、シャフトはシャフトの中間に少なくとも一つのスタンドオフ・コイルを支持し、このスタンドオフ・コイルは一巻きより多い巻きからなり、コイルの中央軸は概ねシャフトと平行である。本発明の好ましい特徴によれば、スタンドオフ・コイルは、シャフトに取り外し可能に支持されている。本発明の好ましい特徴によれば、スタンドオフ・コイルは一対の相互接続された長さの端部間で固定されるように受け入れられるべく適合されている。
【００２３】
本発明の好ましい特徴によれば、コイルの平面はシャフトに対して１００度から１５０度の間の鈍角をなす。
【００２４】
本発明の好ましい特徴によれば、コイルの長さは一巻きより多く、コイルの自由端はコイルの外周から外側に向けて延びる。一実施形態によれば、自由端の中央軸はシャフトの中央軸に対して９０度未満の角度をもって下方に延びる。
【図面の簡単な説明】
【００２５】
本発明は、以下に記載されるいくつかの特別な実施例の開示に鑑みて十分に理解されるであろう。
添付の図面を参照して説明する。
【図１】図１は、第１の実施例による回収補助具の概略図である。
【図２】図２は、第１の実施例によるライン固定部材の側面図である。
【図３】図３は、図２のライン固定図の逆側の側面図である。
【図４】図４aおよび４ｂは、第１の実施例による連結具の断面図である。
【図５】図５は、第１の実施例によるライン固定部材の平面図である。
【図６】図６は、第３の実施例によるライン固定部材の平面図である。
【図７】図７は、第３の実施例によるライン固定部材を反転させた平面図である。
【図８】図８は、第３の実施形態によるライン固定部材の側面図である。
【図９】図９は、図８のライン固定部材の逆側の側面図である。
【図１０】図１０は、釣り針が回収器具に最初に固定された第３の実施形態の図である。
【図１１】図１１は、いったん釣り針が解放されて、回収器具に固定された第３の実施形態の図である。
【図１２】図１２は、本発明の第４の実施形態の等角平面図である。
【図１３】図１３は、本発明の第４の実施形態の逆側の平面図である。
【図１４】図１４は、本発明の第４の実施形態の等角平面図である。
【図１５】図１５は、本発明の第４の実施形態の逆側の平面図である。
【図１６】図１６は、本発明の第５の実施形態の等角平面図である。
【図１７】図１７は、本発明の第５の実施形態の逆側の平面図である。
【図１８】図１８は、本発明の第５の実施形態の等角平面図である。
【図１９】図１９は、本発明の第５の実施形態の逆側の平面図である。
【図２０】図２０は、第５の実施形態によるコイルであって、外れて浮いているルアーに取り付けられたものの固定解除である。
【図２１】図２１は、本発明の第６の実施形態による「スタンドオフ・コイル」の等角図である。
【実施例】
【００２６】
第１の実施形態は、引っかかったルアーの回収を容易にするために漁師が用いることを意図した回収補助具である。この実施形態は、例示のみを目的として添付された図１ないし５を参照して説明されるであろう。
【００２７】
第１の実施形態による回収補助具は、シャフト１１と、シャフト１１の一端のライン固定部材１３と、シャフト１１に沿ってスライド可能に支持される保持部材１５と、保持部材１５に接続されるコードまたはラニヤード１７を備える。
【００２８】
シャフトに関して拡大されて図１に示されたライン固定部材１３は、（図示されているように）お互いの巻きが近接した状態で約１巻きと１／２巻きしたコイル部材を含み、コイルのべースは、コイルの残りの部分のもっとも内側にあり、シャフト１１の一方の端部に取り付けられている。コイルのもう一方の端部は、コイルの残りの部分から外向きに分岐し、その結果、コイルの自由端１６は、図２，３および５に示すように、軸周りに伸び、本体からわずかに逸れて外向きに伸び、コイルの本体からずれる。これによって、使用時に、いったんコイルに係合されたラインが、思いがけず、コイルの巻きに係合されたり、その後コイルから取り外されたりしなくなる。
【００２９】
シャフト１１は、撓み易い中実の細いグラスファイバーのロッドやファイバーで補強されたプラスチック等、全体が曲がりやすい好適な可撓性材料で様々な長さに形成される。長さは、それぞれ図４ａおよび４ｂに図示される一対のステンレス製連結部材２１ａおよび２１ｂによって相互に接続される。連結部材の各々にはシャフトの端部を受け入れる側に第１のソケット２５が形成され、好適な接着剤によりロッド上に保たれる。連結部材をシャフトの自由端に接着するのを容易にするために、連結部材２１の第１のソケット２５の内面は浅くネジ切りされている（不図示）。浅いネジは、連結部材をシャフトに接着剤で接着するのに役立つ。しかしながら、連結部材は、あらゆる好適な手段でシャフトに固定されてもよいことが理解されるべきである。各連結部材２１ａおよび２１ｂの他端部の各々には補助的にネジきりされた部分が形成され、第１の連結部材２１ａは内部をネジきりされた第２のソケット２７を有し、第２の連結部材２１ｂは連結部材２１ａの第２のソケット２７とねじ留めされるように外部をネジきりされた部分２９を有する。
【００３０】
（ライン固定部材を支持するシャフトは例外として）各シャフトは、一方の端部に第１の連結部材２１ａを有し、他端部に第２の連結部材２１ｂを有する。シャフトは、使用者の必要に応じてシャフトの延長を容易にすべく、シャフトに追加される１つ以上の長さを有する。ライン固定部材を収納するシャフトの場合、両端部は各端部に取り付けられた第１の連結部材を有し、シャフトは他端にライン固定部材１３を支持している。このため、コイルの端部の内側には、シャフトの他端の第１の連結部材２１ａのネジ切りされた第２のソケット２７と係合可能な外側のネジ溝が形成されている。
【００３１】
必要があれば、ハンドルは、シャフトの一方の自由端、即ち接続されて組み立てられたシャフト全体の一方の自由端部にある第１の連結部材２１ａに取り付けることができる。
【００３２】
回収補助具は、釣り用ルアーが引っかかった場合に、この釣り用ルアーの回収を容易にするように意図されている。そのような場合、ライン固定部材１３は、ライン固定部材１３とシャフト１との間のつなぎ目あたりに位置された差込口１９までラインを導入することにより、このラインと係合され、その後、固定部材１３の巻きの間に係合され、ラインがコイルの巻き内に受け止められるようにする。固定部材はいったんラインと係合すると、ラインの全長に沿って移動することができ、シャフトは、コイルがラインの自由端にあるルアーに到達するまでユーザーによって保持される。固定部材がいったんルアーと係合されると、その後コイルがルアーを固定するようシャフトが手動で操作され、ライン自体にも、ルアーとラインの間のつなぎ目にもルアー紛失の原因ともなりえる不必要な圧力を与えることなく、引っかかり等の障害物からルアーを押すことにより、または引っかかりの障害物からルアー等を引っ張ることにより、引っかかりから取り外す。
【００３３】
保持部材１５は、シャフトが不注意で手から離れるのを避けるために、シャフトに取り付けるために弾性変形可能で、連結部材またはシャフト即ち接続されて組み立てられたシャフト全体の自由端の（もしあれば）ハンドル直径よりも小さな直径を有する円形弾性要素を備える。保持部材１５は、シャフト１１にスライド可能に受け入れられ、ラニヤードと協働する。使用中、ラニヤードは、ユーザーの掴みから落ちても回収補助具がなくならないようにするため、図示されるようにユーザーの手で包み込まれるか、または（ボートのクリートのような）固定要素を周囲に取り付けられる。
【００３４】
本発明の第２の実施形態は（図示されていないが）、第１の実施形態の変形であり、いったん補足された魚の口または体から釣り針を抜き取るのに用いられ得るような器具を備え、この器具は第１の実施形態に比べて短いシャフトと第１の実施形態と同じ形状の固定部材を有する。必要があれば、第２の実施形態は、第１の実施形態と同様の方法でルアーを回収するのに用いられ得るように、第１の実施形態の形状と同じ形状の弾性シャフトの端部に取り付けられていてもよい。
【００３５】
第３の実施形態は、魚の口から釣り針を回収するのを容易にするために、漁師が用いるよう意図された回収補助具である。この実施形態は、例示のみであると理解されるべき添付の図面の図６ないし１１を参照しつつ説明されるであろう。
【００３６】
第３の実施形態は、コイルの向き以外は第１の実施形態と形状が類似している。第３の実施形態の場合、シャフトに取り付けられるコイルのベースは軸方向最も外側であり、コイルは（図示されるように）各々の巻きが離間している。
【００３７】
第３の実施形態のコイルの形状および向きによって、ラインは一回の動作でコイルと容易に係合可能である。さらに、図１０および１１に示されるように、釣り針またはルアーがいったんコイルによって係合され、引っかかりまたは魚から取り外されると、ユーザーがラインに圧力を加えることにより、釣り針を、シャフトの端部近辺のコイルの軸方向最も内側の位置までスライドさせ、釣り針のポイントをシャフトの近辺に配する。その結果、釣り針のポイントはシャフトに沿って保持され、その結果、コイルと釣り針が回収される間に引っかかりまたは魚の肉と再係合する可能性が低くなる。さらに、コイルの角度によって、釣り針は、シャフトのもっとも近くにまでコイルの部分をスライドし、魚から釣り針を取り外すことができる。適当な圧力がラインにかけられることにより、釣り針はコイルの位置にとどまるので、釣り針は、魚の体または引っかかりに対して押されたり、引っ張られたりする。押力を加えると、回収器具は、取り外しステップの間に、魚の体の内部または引っかかりに向けて入り込みすぎる必要がない。
【００３８】
第４の実施形態は、図１２ないし１５に示されるように、ルアー回収器具であり、コイルの自由端部１６が第１の実施形態の場合のようにシャフトから離れているのではなく、シャフトの近くに位置されていることと、コイルがおよそ１巻きと１／４巻きであることを除いては第３の実施形態の変形である。さらに、コイルの自由端部１６は、コイルから概ね少し外れて伸びており、前の巻きからわずかに離間している。
【００３９】
第４の実施形態は、第１の実施形態に比べて下記の利点を提供する。即ち、：ラインに取り付けるのがさらに容易である。；コイルはいったんラインと係合すると、回収の間にラインがコイルから外れる可能性が低い。；コイルの形状によって、コイルの手動時に、コイルの自由端部１６およびコイルの残りの部分がラインと容易にアクセスでき、回収器具が水中に沈んだラインの感触で刺激されると、ラインは、隙間さらにはコイル内に容易に固定される。ラインがいったん回収器具のシャフトのどこかの部分に触れると、操作者はラインを感じとり、回収器具を上向きに動かす。すると、ラインはコイルの隙間に向けてスライドし係合する。
【００４０】
図１６ないし２０に示される第５の実施形態は、コイルが一巻きよりもわずかに多い巻きからなり、前の巻きと重なるポイントにあるコイルの自由端部１６がコイルに対して概ねわずかにそれた方向を向いていることを除いて、第４の実施形態の変形である。第５の実施形態のデザインは、浮かんでいるルアーが解放された後に、コイルからラインが取り外され解放されるように意図されている。ルアーはいったん解放されると浮き上がり、浮き上がっている間に、図２０に示されるように、隙間を介してルアーを引っ張って外す。
【００４１】
本発明の第６の実施形態は、回収器具を備える前述のすべての実施形態とともに使用され得る「スタンドオフ・コイル」３７に関する。スタンドオフ・コイル３７は、シャフトの長さに応じて、シャフトに沿って一箇所以上の中間位置に配置され、ラインがコイルによって支持されるようにし、後に説明されるような理由で、使用時にラインがシャフトを補強できるようにする。スタンドオフ・コイルは、十分な強度および／または弾性を有する好適なプラスチック材料または好適な金属で成型され、第２の連結部材２１ｂの外側のネジ切りされた部分３５に受け入れられ、シャフトの中間位置で連結部材２１ａと２１ｂとの間で固定されるように寸法づけられた円形環状型のベース３９を提供するように形状付けられる。スタンドオフ・コイルの自由端は、前述の実施形態の固定手段を備えるコイルと類似の形状のコイル４１に形成され、ユーザーがラインをスタンドオフ・コイルに容易に係合および取り外しができるようにする。使用時、つまり回収器具が急流で用いられるとき、水流の影響を受けてシャフトが曲がる傾向があり、このため、ユーザーは引っかかったルアーを探したり、探し出したルアーを十分な圧力をかけて取り外したりすることが困難となる。使用時、ラインは強く保持され、一方で、固定手段はラインを伝って降りてゆく。スタンドオフ・コイルは、シャフトが曲がるのを防止するために、シャフトの一箇所以上で張りつめたラインとシャフトの間に支持を提供する役目を果たす。
【００４２】
上記の実施形態の少なくともいくつかによる回収器具は、シャフトの軸からコイルがずれているので、ラインにかかる摩擦力を減少させ、ユーザーに「より確かな感触」を提供するよう回収器具から離れてラインを維持することを特徴とする。さらに、コイルはシャフトの軸に角度を取っているため、コイル面は、ルアーに対して最良の角度を提供し、回収を成功させ、回収器具を一方向に維持しようとする。一方向に保持しようとする回収器具のこの傾向により、ユーザーが回収器具を不用意に回転させ、ネジ連結を解くのを防止する。本実施例では、コイルの最も外側にベースがあるために、回収作業中にラインがコイルから離れる可能性が軽減し、水中に沈んで目視できないラインをコイルに自動的に固定し、コイル内のラインの感触を邪魔するであろうコイルの回転の間へのラインの補足の可能性を減じることになる。さらに、コイルの端部をコイルの従前の外周まで伸ばすことによって、回収作業中にラインが外れるのを防止する役目がある。各実施形態を利用する場合、中央軸を一巻きより少し多めにシャフトが回転することで、コイルとラインの間の取り付けが容易になる。シャフトは延長できるので、この延長設計により回収器具も制限なく延長できる。第５の実施形態の場合、一巻きより多い巻きにより、回収されたルアーが解放可能となり、さらには、第６の実施形態のスタンドオフ・コイルを使用することにより、回収器具の流れおよび深度に対する性能が広がる。各実施形態の更なる特徴は、中実のグラスファイバー製のシャフトを使用することによって、入口からシャフト内への水の浸入を防ぎ、シャフトが破損せずに曲がることができ、即ち永久的に曲げることができ、シャフトの直径を小さくすることができるので急な流れの中でも水に引っ張られる率が小さくなり、操作者が容易に突っ込み作業を行うことでき、取り扱いも容易になる。
【００４３】
明細書全体を通じて、「備える（一人称）」またはその活用形である「備える（三人称）」および「備えている」という用語は、文脈から必要性が生じない限りにおいては、記載された通りのものまたは同じ範疇のものも含み、他のものまたは他の範疇のものを排除するものではないことを示唆していることが理解されよう。
【００４４】
本発明の範囲は上述の通りに特定された実施形態に限定される必要はないことが理解されるべきである。とくに、本発明は上述の実施形態に関連して説明された特定の適用例に限定される必要はなく、物体を回収、即ちラインの自由端部を操作するためにあらゆる可撓性長尺部材即ちラインとともに利用することができる。さらに、コイルの形状を有する本発明の固定部材は、各実施形態に関して説明されたような特定の形状である必要はなく、各実施形態を鏡に映したような形状であってもよく、また左巻きまたは右巻きのコイルも備え得る。
【図１】
2007508021.tif 000003
【図２】
2007508021.tif 000004
【図３】
2007508021.tif 000005
【図４ａ】
2007508021.tif 000006
【図４ｂ】
2007508021.tif 000007
【図５】
2007508021.tif 000008
【図６】
2007508021.tif 000009
【図７】
2007508021.tif 000010
【図８】
2007508021.tif 000011
【図９】
2007508021.tif 000012
【図１０】
2007508021.tif 000013
【図１１】
2007508021.tif 000014
【図１２】
2007508021.tif 000015
【図１３】
2007508021.tif 000016
【図１４】
2007508021.tif 000017
【図１５】
2007508021.tif 000018
【図１６】
2007508021.tif 000019
【図１７】
2007508021.tif 000020
【図１８】
2007508021.tif 000021
【図１９】
2007508021.tif 000022
【図２０】
2007508021.tif 000023
【図２１】
2007508021.tif 000024
【誤訳訂正書】
【提出日】平成18年11月7日(2006.11.7)
【誤訳訂正１】
【訂正対象書類名】特許請求の範囲
【訂正対象項目名】全文
【訂正方法】変更
【訂正の内容】
【特許請求の範囲】
【請求項１】
端部に物体が取り付けられた可撓性のラインに用いられることを意図する回収補助具であって、該回収補助具は、ライン固定部材を一方の端部に取り付けられ、他端が使用者の操作のため使用者によって支えられて使用されるようにされたシャフトを備え、該固定部材は、該ラインと容易に係合し、ラインと係合すると、該ラインを囲い込み、該ラインに沿って移動可能となる回収補助具において、該固定部材は、一巻きより多く二巻き未満の巻きで、各巻きが同じ直径であり、本質的に円形のコイルに形成され、該コイルはシャフトの端部を越えて延びる軸に対して鋭角となって傾斜し、コイルがシャフとの中央軸の一端に対して、角度をつけてオフセットされるようにシャフトの中心軸に対して同軸となっていることを特徴とする回収補助具。
【請求項２】
端部に物体が取り付けられた可撓性のラインに用いられることを意図する回収補助具であって、該回収補助具は、ライン固定部材を一方の端部に取り付けられ、他端が使用者の操作のため使用者によって支えられて使用されるようにされたシャフトを備え、ラインと容易に係合し、ラインと係合すると、該ラインを取り囲み、該ラインに沿って移動可能となる回収補助具において、該固定部材は、全体を通して弧状に曲がり、巻きが互いに重なりあい、一方の端部はシャフトに固定され、他方の端部は自由端である一巻きより多く二巻き未満の巻きからなる本質的に円形のコイルに形成され、各巻きが、本質的に同一の直径を持ち互いに重なり、一端はシャフトに固定し、他端は自由端で、コイルは、シャフトの端部を越えて延長し、コイルのその部位は、下側の巻きの周囲から外に向けて伸びて自由端に近接し、コイルはシャフトの端部から外側に向けて延びる軸に対し鋭角にて傾斜し、コイルがシャフとの中央軸の一端に対して、角度をつけてオフセットされるようにシャフトの中央軸に対して同軸となっていることを特徴とする回収補助具。
【請求項３】
コイルの近接する巻き部分は互いに離間していることを特徴とする請求項１また2のいずれかに記載の回収補助具。
【請求項４】
コイルはおよそ１巻きと１／４巻きの巻きからなることを特徴とする請求項１、2ないし３のいずれかに記載の回収補助具。
【請求項５】
シャフトが取り付けられるコイルのベースはシャフトとコイルの残りの部分に対して軸方向最も外側にあることを特徴とする請求項１ないし４のいずれかに記載の回収補助具。
【請求項６】
シャフトが取り付けられるコイルのベースは、シャフトとコイルの残りの部分に対して軸方向最も内側にあることを特徴とする請求項１ないし４のいずれかに記載の回収補助具。
【請求項７】
シャフトは伸縮自在であることを特徴とする請求項１ないし６のいずれかに記載の回収補助具。
【請求項８】
シャフトは、端部と端部が相互に接続可能な関係にある複数の長さからなることを特徴とする請求項７に記載の回収補助具。
【請求項９】
各長さの各端部には他の長さの補助継ぎ手とネジ溝で係合可能なネジ継ぎ手が設けられ、端部と端部が相互に接続できることを特徴とする請求項８に記載の回収補助具。
【請求項１０】
シャフトは弾性的に曲げやすいことを特徴とする請求項１から９のいずれかに記載の回収補助具。
【請求項１１】
シャフトはファイバー補強されたプラスチック材料で形成されることを特徴とする請求項１０に記載の回収補助具。
【請求項１２】
シャフトは、シャフトに沿ってスライド可能な保持部材を支持し、コードは一方の端部で保持部材に固定され、シャフトは保持部材がシャフトのいずれの端部からも外れることを防止するべく形成されていることを特徴とする請求項１ないし１１のいずれかに記載の回収補助具。
【請求項１３】
コイルの内径は、ラインによって支持される物体の幅よりも小さいことを特徴とする請求項１ないし１２のいずれかに記載の回収補助具。
【請求項１４】
コイルの内径は、ラインによって支持される物体の幅よりも大きいことを特徴とする請求項１ないし１２のいずれか一つに記載の回収補助具。
【請求項１５】
ラインは釣り糸からなり、物体は釣り針およびルアー、またはそれらの内の一方からなることを特徴とする請求項１ないし１４のいずれかに記載の回収補助具。
【請求項１６】
補助具は魚の体から釣り針を回収するのに用いられ得ることを特徴とする請求項１ないし１５のいずれかに記載の回収補助具。
【請求項１７】
シャフトは、シャフトの長さの中間にある少なくとも一つのスタンドオフ・コイルを支持し、前記スタンドオフ・コイルは一巻きより多い巻きを備え、コイルの中央軸は実質的にシャフトに平行であることを特徴とする請求項１ないし１６のいずれかに記載の回収補助具。
【請求項１８】
スタンドオフ・コイルは、シャフトに取り外し自在に支持されていることを特徴とする請求項１７に記載の回収補助具。
【請求項１９】
スタンドオフ・コイルは一対の相互に接続された長さの端部間に固定するように受け入れられるよう適合していることを特徴とする請求項８または９に従属する請求項１７に記載された回収補助具。
【請求項２０】
鋭角はシャフトに対して１０度から６０度の間をなすことを特徴とする請求項１ないし１９のいずれかに記載の回収補助具。
【請求項２１】
コイルは一巻きよりも長く、コイルの自由端はコイルの外周から外側に向けて伸びることを特徴とする請求項１又は３乃至２０のいずれかに記載の回収補助具。
【請求項２２】
自由端の中央軸はシャフトの中央軸に対して９０度未満の角度となっていることを特徴とする請求項２１に記載の回収補助具。
【請求項２３】
前記コイルが取り外し可能となっていることを特徴とする請求項１ないし２２のいずれかに記載の回収補助具。
【請求項２４】
ハンドルが他端にある請求項１ないし２３のいずれかに記載の回収補助具。
【請求項２５】
端部に物体が取り付けられた可撓性のラインに用いられることを意図する回収補助具であって、該回収補助具は、ライン固定部材を一方の端部に取り付けられ、他端が使用者の操作のため使用者によって支えられて使用されるようにされたシャフトを備え、該固定部材は、該ラインと容易に係合し、ラインと係合すると、該ラインを囲い込み、該ラインに沿って移動可能となる回収補助具において、該固定部材は、一巻きより多く二巻き未満の巻きで、各巻きが同じ直径であり、本質的に円形のコイルに形成され、該コイルはシャフトの端部を越え、シャフトの端部から延びる軸に対して鋭角となって傾斜し、コイルがシャフとの中央軸の一端に対して、角度をつけてオフセットされるようにシャフトの中心軸に対して同軸となっていることを特徴とする回収補助具。
【請求項２６】
実質上、添付図面との関連でここに説明されたところの回収補助具。
【手続補正書】
【提出日】平成18年2月1日(2006.2.1)
【手続補正１】
【補正対象書類名】特許請求の範囲
【補正対象項目名】全文
【補正方法】変更
【補正の内容】
【特許請求の範囲】
【請求項１】
端部に物体が取り付けられた可撓性のラインに用いられることを意図する回収補助具であって、該回収補助具は、ライン固定部材を一方の端部に取り付けられ、他端が使用者の操作のため使用者によって支えられて使用されるようにされたシャフトを備え、該固定部材は、該ラインと容易に係合し、ラインと係合すると、該ラインを囲い込み、該ラインに沿って移動可能となる回収補助具において、該固定部材は、一巻きより多く二巻き未満の巻きで、各巻きが同じ直径であり、本質的に円形のコイルに形成され、該コイルはシャフトの端部を越えて延びる軸に対して鋭角となって傾斜し、コイルがシャフとの中央軸の一端に対して、角度をつけてオフセットされるようにシャフトの中心軸に対して同軸となっていることを特徴とする回収補助具。
【請求項２】
端部に物体が取り付けられた可撓性のラインに用いられることを意図する回収補助具であって、該回収補助具は、ライン固定部材を一方の端部に取り付けられ、他端が使用者の操作のため使用者によって支えられて使用されるようにされたシャフトを備え、ラインと容易に係合し、ラインと係合すると、該ラインを取り囲み、該ラインに沿って移動可能となる回収補助具において、該固定部材は、全体を通して弧状に曲がり、巻きが互いに重なりあい、一方の端部はシャフトに固定され、他方の端部は自由端である一巻きより多く二巻き未満の巻きからなる本質的に円形のコイルに形成され、各巻きが、本質的に同一の直径を持ち互いに重なり、一端はシャフトに固定し、他端は自由端で、コイルは、シャフトの端部を越えて延長し、コイルのその部位は、下側の巻きの周囲から外に向けて伸びて自由端に近接し、コイルはシャフトの端部から外側に向けて延びる軸に対し鋭角にて傾斜し、コイルがシャフとの中央軸の一端に対して、角度をつけてオフセットされるようにシャフトの中央軸に対して同軸となっていることを特徴とする回収補助具。
【請求項３】
コイルの近接する巻き部分は互いに離間していることを特徴とする請求項１また2のいずれかに記載の回収補助具。
【請求項４】
コイルはおよそ１巻きと１／４巻きの巻きからなることを特徴とする請求項１、2ないし３のいずれかに記載の回収補助具。
【請求項５】
シャフトが取り付けられるコイルのベースはシャフトとコイルの残りの部分に対して軸方向最も外側にあることを特徴とする請求項１ないし４のいずれかに記載の回収補助具。
【請求項６】
シャフトが取り付けられるコイルのベースは、シャフトとコイルの残りの部分に対して軸方向最も内側にあることを特徴とする請求項１ないし４のいずれかに記載の回収補助具。
【請求項７】
シャフトは伸縮自在であることを特徴とする請求項１ないし６のいずれかに記載の回収補助具。
【請求項８】
シャフトは、端部と端部が相互に接続可能な関係にある複数の長さからなることを特徴とする請求項７に記載の回収補助具。
【請求項９】
各長さの各端部には他の長さの補助継ぎ手とネジ溝で係合可能なネジ継ぎ手が設けられ、端部と端部が相互に接続できることを特徴とする請求項８に記載の回収補助具。
【請求項１０】
シャフトは弾性的に曲げやすいことを特徴とする請求項１から９のいずれかに記載の回収補助具。
【請求項１１】
シャフトはファイバー補強されたプラスチック材料で形成されることを特徴とする請求項１０に記載の回収補助具。
【請求項１２】
シャフトは、シャフトに沿ってスライド可能な保持部材を支持し、コードは一方の端部で保持部材に固定され、シャフトは保持部材がシャフトのいずれの端部からも外れることを防止するべく形成されていることを特徴とする請求項１ないし１１のいずれかに記載の回収補助具。
【請求項１３】
コイルの内径は、ラインによって支持される物体の幅よりも小さいことを特徴とする請求項１ないし１２のいずれかに記載の回収補助具。
【請求項１４】
コイルの内径は、ラインによって支持される物体の幅よりも大きいことを特徴とする請求項１ないし１２のいずれか一つに記載の回収補助具。
【請求項１５】
ラインは釣り糸からなり、物体は釣り針およびルアー、またはそれらの内の一方からなることを特徴とする請求項１ないし１４のいずれかに記載の回収補助具。
【請求項１６】
補助具は魚の体から釣り針を回収するのに用いられ得ることを特徴とする請求項１ないし１５のいずれかに記載の回収補助具。
【請求項１７】
シャフトは、シャフトの長さの中間にある少なくとも一つのスタンドオフ・コイルを支持し、前記スタンドオフ・コイルは一巻きより多い巻きを備え、コイルの中央軸は実質的にシャフトに平行であることを特徴とする請求項１ないし１６のいずれかに記載の回収補助具。
【請求項１８】
スタンドオフ・コイルは、シャフトに取り外し自在に支持されていることを特徴とする請求項１７に記載の回収補助具。
【請求項１９】
スタンドオフ・コイルは一対の相互に接続された長さの端部間に固定するように受け入れられるよう適合していることを特徴とする請求項８または９に従属する請求項１７に記載された回収補助具。
【請求項２０】
鋭角はシャフトに対して１０度から６０度の間をなすことを特徴とする請求項１ないし１９のいずれかに記載の回収補助具。
【請求項２１】
コイルは一巻きよりも長く、コイルの自由端はコイルの外周から外側に向けて伸びることを特徴とする請求項１又は３乃至２０のいずれかに記載の回収補助具。
【請求項２２】
自由端の中央軸はシャフトの中央軸に対して９０度未満の角度となっていることを特徴とする請求項２１に記載の回収補助具。
【請求項２３】
前記コイルが取り外し可能となっていることを特徴とする請求項１ないし２２のいずれかに記載の回収補助具。
【請求項２４】
ハンドルが他端にある請求項１ないし２３のいずれかに記載の回収補助具。
【請求項２５】
端部に物体が取り付けられた可撓性のラインに用いられることを意図する回収補助具であって、該回収補助具は、ライン固定部材を一方の端部に取り付けられ、他端が使用者の操作のため使用者によって支えられて使用されるようにされたシャフトを備え、該固定部材は、該ラインと容易に係合し、ラインと係合すると、該ラインを囲い込み、該ラインに沿って移動可能となる回収補助具において、該固定部材は、一巻きより多く二巻き未満の巻きで、各巻きが同じ直径であり、本質的に円形のコイルに形成され、該コイルはシャフトの端部を越え、シャフトの端部から延びる軸に対して鋭角となって傾斜し、コイルがシャフとの中央軸の一端に対して、角度をつけてオフセットされるようにシャフトの中心軸に対して同軸となっていることを特徴とする回収補助具。
【手続補正２】
【補正対象書類名】明細書
【補正対象項目名】全文
【補正方法】変更
【補正の内容】
【書類名】明細書
【発明の名称】回収補助具
【技術分野】
【０００１】
本発明は、回収補助具に関する。
【背景技術】
【０００２】
本発明は、先端に物体を取り付けたラインに用いられることを意図するものであり、この物体が容易には手の届かないような位置に固定されてしまったような場合、この物体を回収すべく補助具が利用され得る。ある適用例では、本発明は、引っかかった釣り針やルアーを回収するために、釣り糸と協働させて用いられる回収補助具に適用され得る。他の適用例では、本補助具は、魚や鳥等の生物の体または皮膚に入り込んでしまった釣り針を固定して回収するのに用いられる手段に関する。更なる適用例では、実施形態は、木や屋根等の高い構造物から凧を回収するために、凧を回収するために木や屋根によじ登ることなく、凧と協働して用いられる器具に関する。
【０００３】
これまでに提案されている釣り針取り外し器の形状は、米国意匠特許文献１に開示されている。この装置では、シャフトと概ね一直線上となるシャフトの自由端にループが支持されている。装置のこのような構成、特に魚に差し出されているループの開放部のシャフトに対するループの向きによって、開放部が魚の一部（即ち、唇や鰓耙）を捕捉する可能性がある。さらに、魚の体内の釣り針を固定するループが、釣り針を取り外すべく魚の体内に向けて押されると、釣り針はループのもっとも内側の位置までスライドする。これにより、ループのもっとも外側と釣り針との間の距離が大きくなり、押されたリムーバはさらに魚の肉に押し付けられ釣り針を取り外す。この器具は、引っかかったルアーを回収するために、ラインと協働すべく容易にラインに係合され、このラインと協働し、引っかかったルアーまでラインに沿って自由に移動させるルアー回収器具として用いられることを意図するものではないようである。
【０００４】
これまでに提案されている回収器具の他の形状は、特許文献２に開示されている。この器具は釣り針除去器具であり、引っかかったルアーを回収するために、ラインと協働すべくラインに容易に係合され、引っかかったルアーまでラインに沿って自由に移動させるルアー回収器具として用いることを意図していない。
【０００５】
これまでに提案されている回収器具の他の形状は、特許文献３に開示されており、この器具は一対の離間したコイルを用いるものである。この器具の使用には、複雑なライン固定を必要とする。さらに、ラインを器具に固定したままにしておくには、ラインが両方のコイルに係合されたままにされる必要がある。さらには、釣り針またはルアーを取り外すのは重量に左右される。
【０００６】
これまでに提案されている釣り針除去器具の他の形状は特許文献４に開示されている。これも、引っかかったルアーを回収すべく、ラインと協働するために容易にラインに係合され、引っかかったルアーまでラインに沿って自由に移動させるルアー回収器具として使用されるようには意図されていない。
【０００７】
これまでに提案されている他の回収器具の形状は特許文献５に開示されている。この器具はかさばる大きさで、この形状では器具をラインに係合するときに注意が必要であり、さらにラインの位置を注意深く観察する必要があり、しかも、その器具は通常困難な環境において使用されるものであることを踏まえると、そのような注意および留意をしたからといって利用者が直面する困難を付加するだけである。
【０００８】
本明細書中で説明された本発明に関する背景および関連技術は、単に本発明の理解を容易にするためのものである。この説明は言及された材料が、オーストラリアまたは世界中で本願の優先権日の時点で一般的な知識の一部となっていたことを確認するものでも容認するものでもない。
【０００９】
【特許文献１】米国意匠特許第３８２６２８号
【特許文献２】米国特許第３３７４５７０号
【特許文献３】米国特許第２３７９１６号
【特許文献４】米国特許第６６１３８４０１号
【特許文献５】米国特許第６６９４６６４号
【発明の開示】
【００１０】
本発明は、端部に物体が取り付けられた可撓性ラインに用いることを意図した回収補助具であり、この回収補助具は、一方の端部にライン固定部材を取り付けられたシャフトを備え、この固定部材は、ラインと容易に係合され得、ラインと係合すると、ラインを取り囲み、ラインに沿って移動することができ、一巻きより多く二巻き未満の巻きからなる本質的に円形のコイル状に形成され、固定部材の平面はシャフトの中央軸に対して傾斜し、シャフトの端部から外向きに延びる。
【００１１】
本発明は、端部に物体が取り付けられた可撓性ラインに用いることを意図された回収補助具であって、この回収補助具は、一方の端部にライン固定部材を取り付けられたシャフトを備え、この固定部材はラインと容易に係合し、ラインと係合すると、このラインを取り囲み、ラインに沿って移動することができ、さらに、この固定部材は一巻きより多く二巻き未満の巻きからなる本質的に円形のコイル状に形成され、これらの各巻きは同じ直径であり、お互いに重なりあい、一方の端部をシャフトに固定され、他方の端部は自由端であり、コイルは、シャフトの端部から外側に延長し、コイルの近接する自由端が下側の巻きの周囲から外に向けて伸び、固定部材の平面はシャフトの中央軸に対して傾斜し、シャフトの端部から外側に向けて延びる。
【００１２】
【００１３】
本発明の好ましい特徴によれば、コイルの巻きの隣接する部分は互いに離間している。
【００１４】
本発明の好ましい特徴によれば、コイルはおよそ１巻きと１／４巻きからなる。
【００１５】
本発明の好ましい特徴によれば、シャフトが取り付けられるコイルのベースは、シャフトおよびコイルの残りの部分に関して軸方向にもっとも外側にある。本発明のさらに別の好ましい特徴によれば、シャフトが取り付けられるコイルのベースは、シャフトとコイルの残りの部分に関して軸方向にもっとも内側にある。
【００１６】
本発明の好ましい特徴によれば、シャフトは伸縮自在である。本発明の好ましい特徴によれば、シャフトは、端部と端部とが互いに接続できるように複数の長さからなる。本発明の好ましい特徴によれば、各長さの各端部にはネジ切りされた固定部が設けられ、他の長さの補強固定部とネジ係合され、端部と端部とで互いに接続可能とする。
【００１７】
本発明の好ましい特徴によれば、シャフトは弾性的に曲がる。本発明の好ましい特徴によれば、シャフトはファイバー補強されたプラスチック材料で形成されている。
【００１８】
本発明の好ましい特徴によれば、シャフトはシャフトに沿ってスライド可能な保持部材を支持し、コードは保持部材の一方の端部に固定され、シャフトは保持部材がシャフトのいずれの端部からも外れるのを防止すべく形成されている。
【００１９】
本発明の好ましい特徴によれば、コイルの内径はラインによって支持される物体の幅よりも小さい。本発明の他の好ましい特徴によれば、コイルの内径はラインによって支持される物体の幅よりも大きい。
【００２０】
本発明の好ましい特徴によれば、ラインは釣り糸からなり、物体は釣り針および／またはルアーからなる。
【００２１】
本発明の好ましい特徴によれば、器具は釣り針を魚の体から回収するのに用いられ得る。
【００２２】
本発明の好ましい特徴によれば、シャフトはシャフトの中間に少なくとも一つのスタンドオフ・コイルを支持し、このスタンドオフ・コイルは一巻きより多い巻きからなり、コイルの中央軸は概ねシャフトと平行である。本発明の好ましい特徴によれば、スタンドオフ・コイルは、シャフトに取り外し可能に支持されている。本発明の好ましい特徴によれば、スタンドオフ・コイルは一対の相互接続された長さの端部間で固定されるように受け入れられるべく適合されている。
【００２３】
本発明の好ましい特徴によれば、シャフトの中心軸と、コイルの中心軸とのなす角は、１０度から６０度の間の鋭角をなす。
【００２４】
本発明の好ましい特徴によれば、コイルの長さは一巻きより多く、コイルの自由端はコイルの外周から外側に向けて延びる。一実施形態によれば、自由端の中央軸はシャフトの中央軸に対して９０度未満の角度をもって下方に延びる。
【００２５】
本発明は、以下に記載されるいくつかの特別な実施例の開示に鑑みて十分に理解されるであろう。
添付の図面を参照して説明する。
【図１】図１は、第１の実施例による回収補助具の概略図である。
【図２】図２は、第１の実施例によるライン固定部材の側面図である。
【図３】図３は、図２のライン固定図の逆側の側面図である。
【図４】図４aおよび４ｂは、第１の実施例による連結具の断面図である。
【図５】図５は、第１の実施例によるライン固定部材の平面図である。
【図６】図６は、第３の実施例によるライン固定部材の平面図である。
【図７】図７は、第３の実施例によるライン固定部材を反転させた平面図である。
【図８】図８は、第３の実施形態によるライン固定部材の側面図である。
【図９】図９は、図８のライン固定部材の逆側の側面図である。
【図１０】図１０は、釣り針が回収器具に最初に固定された第３の実施形態の図である。
【図１１】図１１は、いったん釣り針が解放されて、回収器具に固定された第３の実施形態の図である。
【図１２】図１２は、本発明の第４の実施形態の等角平面図である。
【図１３】図１３は、本発明の第４の実施形態の逆側の平面図である。
【図１４】図１４は、本発明の第４の実施形態の等角平面図である。
【図１５】図１５は、本発明の第４の実施形態の逆側の平面図である。
【図１６】図１６は、本発明の第５の実施形態の等角平面図である。
【図１７】図１７は、本発明の第５の実施形態の逆側の平面図である。
【図１８】図１８は、本発明の第５の実施形態の等角平面図である。
【図１９】図１９は、本発明の第５の実施形態の逆側の平面図である。
【図２０】図２０は、第５の実施形態によるコイルであって、外れて浮いているルアーに取り付けられたものの固定解除である。
【図２１】図２１は、本発明の第６の実施形態による「スタンドオフ・コイル」の等角図である。
【実施例】
【００２６】
第１の実施形態は、引っかかったルアーの回収を容易にするために漁師が用いることを意図した回収補助具である。この実施形態は、例示のみを目的として添付された図１ないし５を参照して説明されるであろう。
【００２７】
第１の実施形態による回収補助具は、シャフト１１と、シャフト１１の一端のライン固定部材１３と、シャフト１１に沿ってスライド可能に支持される保持部材１５と、保持部材１５に接続されるコードまたはラニヤード１７を備える。
【００２８】
シャフトに関して拡大されて図１に示されたライン固定部材１３は、（図示されているように）お互いの巻きが近接した状態で約１巻きと１／２巻きしたコイル部材を含み、コイルのべースは、コイルの残りの部分のもっとも内側にあり、シャフト１１の一方の端部に取り付けられている。コイルのもう一方の端部は、コイルの残りの部分から外向きに分岐し、その結果、コイルの自由端１６は、図２，３および５に示すように、軸周りに伸び、本体からわずかに逸れて外向きに伸び、コイルの本体からずれる。これによって、使用時に、いったんコイルに係合されたラインが、思いがけず、コイルの巻きに係合されたり、その後コイルから取り外されたりしなくなる。
【００２９】
シャフト１１は、撓み易い中実の細いグラスファイバーのロッドやファイバーで補強されたプラスチック等、全体が曲がりやすい好適な可撓性材料で様々な長さに形成される。長さは、それぞれ図４ａおよび４ｂに図示される一対のステンレス製連結部材２１ａおよび２１ｂによって相互に接続される。連結部材の各々にはシャフトの端部を受け入れる側に第１のソケット２５が形成され、好適な接着剤によりロッド上に保たれる。連結部材をシャフトの自由端に接着するのを容易にするために、連結部材２１の第１のソケット２５の内面は浅くネジ切りされている（不図示）。浅いネジは、連結部材をシャフトに接着剤で接着するのに役立つ。しかしながら、連結部材は、あらゆる好適な手段でシャフトに固定されてもよいことが理解されるべきである。各連結部材２１ａおよび２１ｂの他端部の各々には補助的にネジきりされた部分が形成され、第１の連結部材２１ａは内部をネジきりされた第２のソケット２７を有し、第２の連結部材２１ｂは連結部材２１ａの第２のソケット２７とねじ留めされるように外部をネジきりされた部分２９を有する。
【００３０】
（ライン固定部材を支持するシャフトは例外として）各シャフトは、一方の端部に第１の連結部材２１ａを有し、他端部に第２の連結部材２１ｂを有する。シャフトは、使用者の必要に応じてシャフトの延長を容易にすべく、シャフトに追加される１つ以上の長さを有する。ライン固定部材を収納するシャフトの場合、両端部は各端部に取り付けられた第１の連結部材を有し、シャフトは他端にライン固定部材１３を支持している。このため、コイルの端部の内側には、シャフトの他端の第１の連結部材２１ａのネジ切りされた第２のソケット２７と係合可能な外側のネジ溝が形成されている。
【００３１】
必要があれば、ハンドルは、シャフトの一方の自由端、即ち接続されて組み立てられたシャフト全体の一方の自由端部にある第１の連結部材２１ａに取り付けることができる。
【００３２】
回収補助具は、釣り用ルアーが引っかかった場合に、この釣り用ルアーの回収を容易にするように意図されている。そのような場合、ライン固定部材１３は、ライン固定部材１３とシャフト１との間のつなぎ目あたりに位置された差込口１９までラインを導入することにより、このラインと係合され、その後、固定部材１３の巻きの間に係合され、ラインがコイルの巻き内に受け止められるようにする。固定部材はいったんラインと係合すると、ラインの全長に沿って移動することができ、シャフトは、コイルがラインの自由端にあるルアーに到達するまでユーザーによって保持される。固定部材がいったんルアーと係合されると、その後コイルがルアーを固定するようシャフトが手動で操作され、ライン自体にも、ルアーとラインの間のつなぎ目にもルアー紛失の原因ともなりえる不必要な圧力を与えることなく、引っかかり等の障害物からルアーを押すことにより、または引っかかりの障害物からルアー等を引っ張ることにより、引っかかりから取り外す。
【００３３】
保持部材１５は、シャフトが不注意で手から離れるのを避けるために、シャフトに取り付けるために弾性変形可能で、連結部材またはシャフト即ち接続されて組み立てられたシャフト全体の自由端の（もしあれば）ハンドル直径よりも小さな直径を有する円形弾性要素を備える。保持部材１５は、シャフト１１にスライド可能に受け入れられ、ラニヤードと協働する。使用中、ラニヤードは、ユーザーの掴みから落ちても回収補助具がなくならないようにするため、図示されるようにユーザーの手で包み込まれるか、または（ボートのクリートのような）固定要素を周囲に取り付けられる。
【００３４】
本発明の第２の実施形態は（図示されていないが）、第１の実施形態の変形であり、いったん補足された魚の口または体から釣り針を抜き取るのに用いられ得るような器具を備え、この器具は第１の実施形態に比べて短いシャフトと第１の実施形態と同じ形状の固定部材を有する。必要があれば、第２の実施形態は、第１の実施形態と同様の方法でルアーを回収するのに用いられ得るように、第１の実施形態の形状と同じ形状の弾性シャフトの端部に取り付けられていてもよい。
【００３５】
第３の実施形態は、魚の口から釣り針を回収するのを容易にするために、漁師が用いるよう意図された回収補助具である。この実施形態は、例示のみであると理解されるべき添付の図面の図６ないし１１を参照しつつ説明されるであろう。
【００３６】
第３の実施形態は、コイルの向き以外は第１の実施形態と形状が類似している。第３の実施形態の場合、シャフトに取り付けられるコイルのベースは軸方向最も外側であり、コイルは（図示されるように）各々の巻きが離間している。
【００３７】
第３の実施形態のコイルの形状および向きによって、ラインは一回の動作でコイルと容易に係合可能である。さらに、図１０および１１に示されるように、釣り針またはルアーがいったんコイルによって係合され、引っかかりまたは魚から取り外されると、ユーザーがラインに圧力を加えることにより、釣り針を、シャフトの端部近辺のコイルの軸方向最も内側の位置までスライドさせ、釣り針のポイントをシャフトの近辺に配する。その結果、釣り針のポイントはシャフトに沿って保持され、その結果、コイルと釣り針が回収される間に引っかかりまたは魚の肉と再係合する可能性が低くなる。さらに、コイルの角度によって、釣り針は、シャフトのもっとも近くにまでコイルの部分をスライドし、魚から釣り針を取り外すことができる。適当な圧力がラインにかけられることにより、釣り針はコイルの位置にとどまるので、釣り針は、魚の体または引っかかりに対して押されたり、引っ張られたりする。押力を加えると、回収器具は、取り外しステップの間に、魚の体の内部または引っかかりに向けて入り込みすぎる必要がない。
【００３８】
第４の実施形態は、図１２ないし１５に示されるように、ルアー回収器具であり、コイルの自由端部１６が第１の実施形態の場合のようにシャフトから離れているのではなく、シャフトの近くに位置されていることと、コイルがおよそ１巻きと１／４巻きであることを除いては第３の実施形態の変形である。さらに、コイルの自由端部１６は、コイルから概ね少し外れて伸びており、前の巻きからわずかに離間している。
【００３９】
第４の実施形態は、第１の実施形態に比べて下記の利点を提供する。即ち、：ラインに取り付けるのがさらに容易である。；コイルはいったんラインと係合すると、回収の間にラインがコイルから外れる可能性が低い。；コイルの形状によって、コイルの手動時に、コイルの自由端部１６およびコイルの残りの部分がラインと容易にアクセスでき、回収器具が水中に沈んだラインの感触で刺激されると、ラインは、隙間さらにはコイル内に容易に固定される。ラインがいったん回収器具のシャフトのどこかの部分に触れると、操作者はラインを感じとり、回収器具を上向きに動かす。すると、ラインはコイルの隙間に向けてスライドし係合する。
【００４０】
図１６ないし２０に示される第５の実施形態は、コイルが一巻きよりもわずかに多い巻きからなり、前の巻きと重なるポイントにあるコイルの自由端部１６がコイルに対して概ねわずかにそれた方向を向いていることを除いて、第４の実施形態の変形である。第５の実施形態のデザインは、浮かんでいるルアーが解放された後に、コイルからラインが取り外され解放されるように意図されている。ルアーはいったん解放されると浮き上がり、浮き上がっている間に、図２０に示されるように、隙間を介してルアーを引っ張って外す。
【００４１】
本発明の第６の実施形態は、回収器具を備える前述のすべての実施形態とともに使用され得る「スタンドオフ・コイル」３７に関する。スタンドオフ・コイル３７は、シャフトの長さに応じて、シャフトに沿って一箇所以上の中間位置に配置され、ラインがコイルによって支持されるようにし、後に説明されるような理由で、使用時にラインがシャフトを補強できるようにする。スタンドオフ・コイルは、十分な強度および／または弾性を有する好適なプラスチック材料または好適な金属で成型され、第２の連結部材２１ｂの外側のネジ切りされた部分３５に受け入れられ、シャフトの中間位置で連結部材２１ａと２１ｂとの間で固定されるように寸法づけられた円形環状型のベース３９を提供するように形状付けられる。スタンドオフ・コイルの自由端は、前述の実施形態の固定手段を備えるコイルと類似の形状のコイル４１に形成され、ユーザーがラインをスタンドオフ・コイルに容易に係合および取り外しができるようにする。使用時、つまり回収器具が急流で用いられるとき、水流の影響を受けてシャフトが曲がる傾向があり、このため、ユーザーは引っかかったルアーを探したり、探し出したルアーを十分な圧力をかけて取り外したりすることが困難となる。使用時、ラインは強く保持され、一方で、固定手段はラインを伝って降りてゆく。スタンドオフ・コイルは、シャフトが曲がるのを防止するために、シャフトの一箇所以上で張りつめたラインとシャフトの間に支持を提供する役目を果たす。
【００４２】
上記の実施形態の少なくともいくつかによる回収器具は、シャフトの軸からコイルがずれているので、ラインにかかる摩擦力を減少させ、ユーザーに「より確かな感触」を提供するよう回収器具から離れてラインを維持することを特徴とする。さらに、コイルはシャフトの軸に角度を取っているため、コイル面は、ルアーに対して最良の角度を提供し、回収を成功させ、回収器具を一方向に維持しようとする。一方向に保持しようとする回収器具のこの傾向により、ユーザーが回収器具を不用意に回転させ、ネジ連結を解くのを防止する。本実施例では、コイルの最も外側にベースがあるために、回収作業中にラインがコイルから離れる可能性が軽減し、水中に沈んで目視できないラインをコイルに自動的に固定し、コイル内のラインの感触を邪魔するであろうコイルの回転の間へのラインの補足の可能性を減じることになる。さらに、コイルの端部をコイルの従前の外周まで伸ばすことによって、回収作業中にラインが外れるのを防止する役目がある。各実施形態を利用する場合、中央軸を一巻きより少し多めにシャフトが回転することで、コイルとラインの間の取り付けが容易になる。シャフトは延長できるので、この延長設計により回収器具も制限なく延長できる。第５の実施形態の場合、一巻きより多い巻きにより、回収されたルアーが解放可能となり、さらには、第６の実施形態のスタンドオフ・コイルを使用することにより、回収器具の流れおよび深度に対する性能が広がる。各実施形態の更なる特徴は、中実のグラスファイバー製のシャフトを使用することによって、入口からシャフト内への水の浸入を防ぎ、シャフトが破損せずに曲がることができ、即ち永久的に曲げることができ、シャフトの直径を小さくすることができるので急な流れの中でも水に引っ張られる率が小さくなり、操作者が容易に突っ込み作業を行うことでき、取り扱いも容易になる。
【００４３】
明細書全体を通じて、「備える（一人称）」またはその活用形である「備える（三人称）」および「備えている」という用語は、文脈から必要性が生じない限りにおいては、記載された通りのものまたは同じ範疇のものも含み、他のものまたは他の範疇のものを排除するものではないことを示唆していることが理解されよう。
【００４４】
本発明の範囲は上述の通りに特定された実施形態に限定される必要はないことが理解されるべきである。とくに、本発明は上述の実施形態に関連して説明された特定の適用例に限定される必要はなく、物体を回収、即ちラインの自由端部を操作するためにあらゆる可撓性長尺部材即ちラインとともに利用することができる。さらに、コイルの形状を有する本発明の固定部材は、各実施形態に関して説明されたような特定の形状である必要はなく、各実施形態を鏡に映したような形状であってもよく、また左巻きまたは右巻きのコイルも備え得る。
【国際調査報告】
2007508021.tif 000025
2007508021.tif 000026
2007508021.tif 000027